(57)【要約】【課題】大画面で画像を確認でき且つ安全性やユーザの自由度にも留意して装着型の画像表示装置を制御できるカメラシステム、及びこのようなカメラシステムに用いられるカメラ並びに装着型画像表示装置を提供すること。【解決手段】ＦＭＤ２００を装着したユーザがカメラ１００を構えているか否かを状態検出部１０９によって検出する。ユーザがカメラ１００を構えている場合に、カメラ１００の制御部１０１は、撮像部１０４を介して取得される画像を、通信部１０８を介してＦＭＤ２００に送信する。ＦＭＤ２００の制御部２０１は、カメラ１００から画像が受信された場合には、光学系２０６内の表示部に受信された画像を表示させるとともに、光学系２０６内のシャッタを遮光状態とする。一方、カメラ１００から画像が受信されていない場合に、制御部２０１は、光学系２０６内のシャッタを開放状態とする。【選択図】図１
2010183274.tif 000002
【特許請求の範囲】
【請求項１】
カメラと、ユーザの目部に装着自在に構成され上記カメラと連携して動作する装着型画像表示装置とを有するカメラシステムにおいて、
上記カメラは、
被写体を撮像して画像を取得する撮像部と、
上記撮像部で取得された画像の送信の可否を判定する送信可否判定部と、
上記画像の送信が許可された場合に、上記撮像部で取得された画像を上記装着型画像表示装置に送信するカメラ側通信部と、
を具備し、
上記装着型画像表示装置は、
上記カメラ側通信部から送信されてきた画像を受信する表示装置側通信部と、
上記表示装置側通信部において画像が受信された場合には、該受信された画像を上記ユーザの目に導き、上記表示装置側通信部において画像が受信されていない場合には、当該装着型画像表示装置の外部からの光に基づく像を上記ユーザの目に導く光学系と、
を具備することを特徴とするカメラシステム。
【請求項２】
上記送信可否判定部は、上記カメラ側通信部が上記表示装置側通信部と通信可能となった場合に、上記画像の送信を許可することを検出することを特徴とする請求項１に記載のカメラシステム。
【請求項３】
上記送信可否判定部は、上記装着型画像表示装置が上記カメラの背面に対向する位置になった場合に、上記画像の送信を許可することを検出することを特徴とする請求項１に記載のカメラシステム。
【請求項４】
上記カメラは、
上記撮像部で取得された画像を記録する記録部と、
当該カメラに一体的に設けられ、上記記録部に記録された画像を表示する一体型表示部と、
をさらに具備し、
上記カメラ側通信部は、上記一体型表示部に画像が表示されており且つ上記送信可否判定部により上記画像の送信が許可された場合に、上記一体型表示部に表示中の画像を上記装着型画像表示装置に送信することを特徴とする請求項１に記載のカメラシステム。
【請求項５】
上記一体型表示部は、上記カメラ側通信部によって上記一体型表示部に表示中の画像が上記装着型画像表示装置に送信された後で、上記一体型表示部の表示を終了させることを特徴とする請求項４に記載のカメラシステム。
【請求項６】
上記光学系は、
上記表示装置側通信部において受信された画像を表示する表示部と、
上記表示部からの光を上記ユーザの目の方向に導くとともに、上記装着型画像表示装置の外部からの光を上記ユーザの目の方向に導く光学部と、
上記表示部に画像が表示されている間、上記装着型画像表示装置の外部からの光が上記光学部に入射しないように遮光する遮光部材と、
を有することを特徴とする請求項１に記載のカメラシステム。
【請求項７】
上記光学系は、
上記装着型画像表示装置の外部からの光に基づく画像を取得する補助撮像部と、
上記表示装置側通信部において画像が受信された場合には該受信された画像を表示し、上記表示装置側通信部において画像が受信されていない場合には上記補助撮像部で取得された画像を表示する表示部と、
上記表示部からの光を上記ユーザの目の方向に導く光学部と、
上記装着型画像表示装置の外部からの光が上記光学部に入射しないように遮光する遮光部材と、
を有することを特徴とする請求項１に記載のカメラシステム。
【請求項８】
ユーザの目部に装着自在に構成された装着型画像表示装置と連携して動作するカメラにおいて、
被写体を撮像して画像を取得する撮像部と、
上記撮像部で取得された画像の送信の可否を判定する送信可否判定部と、
上記画像の送信が許可された場合に、上記撮像部で取得された画像を上記装着型画像表示装置に送信するカメラ側通信部と、
を具備することを特徴とするカメラ。
【請求項９】
上記撮像部で取得された画像を記録する記録部と、
当該カメラに一体的に設けられ、上記撮像部で取得された画像又は上記記録部に記録された画像を表示する一体型表示部と、
をさらに具備し、
上記一体型表示部は、上記カメラ側通信部によって上記撮像部で取得された画像が上記装着型画像表示装置に送信された後、現在表示中の画像の表示を終了させることを特徴とする請求項８に記載のカメラ。
【請求項１０】
ユーザの目部に装着自在に構成されカメラと連携して動作する装着型画像表示装置において、
上記カメラからの画像を受信する表示装置側通信部と、
上記表示装置側通信部において画像が受信された場合には、該受信された画像を上記ユーザの目に導き、上記表示装置側通信部において画像が受信されていない場合には、当該装着型画像表示装置の外部からの光に基づく像を上記ユーザの目に導く光学系と、
を具備することを特徴とする装着型画像表示装置。
【請求項１１】
上記光学系は、
上記表示装置側通信部において受信された画像を表示する表示部と、
上記表示部からの光を上記ユーザの目の方向に導くとともに、上記装着型画像表示装置の外部からの光を上記ユーザの目の方向に導く光学部と、
上記表示部に画像が表示されている間、上記装着型画像表示装置の外部からの光が上記光学部に入射しないように遮光する遮光部材と、
を有することを特徴とする請求項１０に記載の装着型画像表示装置。
【請求項１２】
上記光学系は、
上記装着型画像表示装置の外部からの光に基づく画像を取得する補助撮像部と、
上記表示装置側通信部において画像が受信された場合には該受信された画像を表示し、上記表示装置側通信部において画像が受信されていない場合には上記補助撮像部で取得された画像を表示する表示部と、
上記表示部からの光を上記ユーザの目の方向に導く光学部と、
上記装着型画像表示装置の外部からの光が上記光学部に入射しないように遮光する遮光部材と、
を有することを特徴とする請求項１０に記載の装着型画像表示装置。
【請求項１３】
上記カメラからの画像が受信されていない場合に、上記カメラの電源をオンさせる指示を、上記表示装置側通信部を介して上記カメラに送る制御部をさらに具備することを特徴とする請求項１０に記載の装着型画像表示装置。
【発明の詳細な説明】
【技術分野】
【０００１】
本発明は、ユーザの目に装着可能な装着型画像表示装置とカメラとを有するカメラシステム、及びそのようなカメラシステムに用いられるカメラ並びに装着型画像表示装置に関する。
【背景技術】
【０００２】
近年、機器の小型化及び高機能化の流れが加速しており、こうした高機能な機器を屋外等にも持ち運べるような状況になってきている。こうしたトレンドの中で、屋外でも大画面の感覚での画像の鑑賞を可能とした装着型の画像表示装置がＦＭＤ（フェイスマウントディスプレイ）やＨＭＤ（ヘッドマウントディスプレイ）等といった名称で提案されている。また、このような装着型の画像表示装置をカメラのファインダ装置として利用しようとする提案が例えば特許文献１においてなされている。
【先行技術文献】
【特許文献】
【０００３】
【特許文献１】特開２００１−２０９０３７号公報
【発明の概要】
【発明が解決しようとする課題】
【０００４】
ここで、ＦＭＤ等の装着型の画像表示装置をファインダ装置として利用する場合について考えると、通常、画像表示装置の装着中においては、ユーザはカメラから送られてきた画像しか見ることができない。近年では、片目のみに装着する画像表示装置の提案もなされているが、この場合であっても画像表示装置を装着している側の目についてはカメラから送られてきた画像しか見ることができない。このような状況はユーザにとって不自由さを感じさせるばかりか、安全性の面からも余り好ましい状況とは言えない。安全性の面やユーザの自由度を考えると、画像表示装置の装着中であっても不必要な状況では肉眼での自然な視界を優先できた方が良いと考えられる。
【０００５】
本発明は、上記の事情に鑑みてなされたもので、大画面で画像を確認でき且つ安全性やユーザの自由度にも留意して装着型の画像表示装置を制御できるカメラシステム、及びこのようなカメラシステムに用いられるカメラ並びに装着型画像表示装置を提供することを目的とする。
【課題を解決するための手段】
【０００６】
上記の目的を達成するために、本発明の第１の態様によるカメラシステムは、カメラと、ユーザの目部に装着自在に構成され上記カメラと連携して動作する装着型画像表示装置とを有するカメラシステムにおいて、上記カメラは、被写体を撮像して画像を取得する撮像部と、上記撮像部で取得された画像の送信の可否を判定する送信可否判定部と、上記画像の送信が許可された場合に、上記撮像部で取得された画像を上記装着型画像表示装置に送信するカメラ側通信部とを具備し、上記装着型画像表示装置は、上記カメラ側通信部から送信されてきた画像を受信する表示装置側通信部と、上記表示装置側通信部において画像が受信された場合には、該受信された画像を上記ユーザの目に導き、上記表示装置側通信部において画像が受信されていない場合には、当該装着型画像表示装置の外部からの光に基づく像を上記ユーザの目に導く光学系とを具備することを特徴とする。
【０００７】
また、上記の目的を達成するために、本発明の第２の態様によるカメラは、ユーザの目部に装着自在に構成された装着型画像表示装置と連携して動作するカメラにおいて、被写体を撮像して画像を取得する撮像部と、上記撮像部で取得された画像の送信の可否を判定する送信可否判定部と、上記画像の送信が許可された場合に、上記撮像部で取得された画像を上記装着型画像表示装置に送信するカメラ側通信部とを具備することを特徴とする。
【０００８】
また、上記の目的を達成するために、本発明の第３の態様による装着型表示装置は、ユーザの目部に装着自在に構成されカメラと連携して動作する装着型画像表示装置において、上記カメラからの画像を受信する表示装置側通信部と、上記表示装置側通信部において画像が受信された場合には、該受信された画像を上記ユーザの目に導き、上記表示装置側通信部において画像が受信されていない場合には、当該装着型画像表示装置の外部からの光に基づく像を上記ユーザの目に導く光学系とを具備することを特徴とする。
【発明の効果】
【０００９】
本発明によれば、大画面で画像を確認でき且つ安全性やユーザの自由度にも留意して装着型の画像表示装置を制御できるカメラシステム、及びこのようなカメラシステムに用いられるカメラ並びに装着型画像表示装置を提供することができる。
【図面の簡単な説明】
【００１０】
【図１】本発明の一実施形態に係るカメラシステムの構成を示すブロック図である。
【図２】光学系の構成の一例を示す図である。
【図３】ＦＭＤの外観図である。
【図４】本発明の一実施形態におけるカメラシステムを使用する際の様子を示す図である。
【図５】図５（ａ）はユーザがカメラを構えたときの撮影視野を示す図であり、図５（ｂ）はカメラを構えたときにＦＭＤを介してユーザに見せるべき視野の状態を示した図である。
【図６】図６（ａ）はユーザがカメラを構えていないときの撮影視野を示す図であり、図６（ｂ）はカメラを構えていないときにＦＭＤを介してユーザに見せるべき視野の状態を示した図である。
【図７】状態検出部の構成の一例を示す図である。
【図８】状態検出部の構成の変形例を示す図である。
【図９】カメラのメインの動作を示すフローチャートである。
【図１０】再生モードの処理を示すフローチャートである。
【図１１】ＦＭＤのメインの動作を示すフローチャートである。
【図１２】再生モードの処理の変形例を示すフローチャートである。
【図１３】光学系の構成の変形例を示す図である。
【発明を実施するための形態】
【００１１】
以下、図面を参照して本発明の実施形態を説明する。  
図１は、本発明の一実施形態に係るカメラシステムの構成を示すブロック図である。図１に示すように、本実施形態におけるカメラシステムは、カメラ１００と、フェイスマウントディスプレイ（以下、ＦＭＤと記す）２００とを有している。カメラ１００とＦＭＤ２００とは互いに通信自在に接続されており、カメラ１００で取得された画像をＦＭＤ２００に送信することで、カメラ１００で取得された画像をＦＭＤ２００で鑑賞することが可能である。
【００１２】
カメラ１００は、制御部１０１と、操作部１０２と、撮影レンズ１０３と、撮像部１０４と、表示部１０５と、時計部１０６と、記録部１０７と、通信部１０８と、状態検出部１０９とを有している。
【００１３】
制御部１０１は、カメラ用に構成されたＬＳＩ等から構成されており、ユーザによる操作部１０２の操作を受けて図１のカメラ１００内部の各ブロックの制御を行う。また、制御部１０１は、撮像部１０４によって取得された画像に対してホワイトバランス補正等の画像処理や圧縮伸張処理等を施すことも行う。
【００１４】
操作部１０２は、ユーザがカメラ１００の操作を行うための操作部である。操作部１０２には、例えば、カメラ１００の電源のオン/オフを切り替えるための電源ボタン、ユーザが撮影の実行を指示するためのレリーズボタン、ユーザが画像の再生を指示するための再生ボタン、ユーザがカメラ１００に関する各種の選択操作を行うための選択ボタン等が含まれる。
【００１５】
撮影レンズ１０３は、図示しない被写体からの光束を撮像部１０４に入射させるためのレンズである。撮像部１０４は、撮影レンズ１０３からの光束に基づく被写体の像を電気信号に変換することで画像を取得し、さらにこの画像をデジタルデータとして制御部１０１に出力する。
【００１６】
一体型表示部としての機能を有する表示部１０５は、例えばカメラ１００の背面に一体的に設けられ、撮像部１０４を介して取得された画像や記録部１０７に記録された画像等の各種の画像を表示する。この表示部１０５は、例えば液晶ディスプレイ等から構成されている。この表示部１０５により、ユーザは被写体の構図やシャッターチャンスを確認することができる。
【００１７】
時計部１０６は、画像の撮影がなされた日時等を計時する。記録部１０７は、撮像部１０４を介して取得され、制御部１０１において圧縮された画像が記録される。この記録部１０７には、時計部１０６によって計時された撮影日時等の撮影条件が付加された画像ファイルとして画像が記録される。
【００１８】
通信部１０８は、ＦＭＤ２００との通信を行うための通信回路であり、制御部１０１の制御に従ってＦＭＤ２００に画像を送信する。カメラ１００とＦＭＤ２００との通信方式については特に限定されるものではない。例えば、カメラ１００とＦＭＤ２００との間をＵＳＢケーブル等を介して接続して通信を行う有線通信を用いても良いし、無線ＬＡＮ等の無線通信を用いても良い。
【００１９】
制御部１０１とともに送信可否判定部の機能を有する状態検出部１０９は、カメラ１００からＦＭＤ２００への画像の送信を許可できるか否かを検出する。詳細は後述するが、状態検出部１０９は、ユーザがＦＭＤ２００を装着しており、且つ撮影のためにユーザがカメラ１００を構えているか否かを検出するようになされている。制御部１０１は、状態検出部１０９により、ユーザがカメラ１００を構えていることが検出された場合に画像の送信を許可できると判定する。
【００２０】
本実施形態におけるＦＭＤ２００は、装着型画像表示装置としての機能を有し、ユーザの目部に装着自在になされている。このＦＭＤ２００は、制御部２０１と、通信部２０２と、記録部２０３と、表示駆動部２０４と、シャッタ駆動部２０５と、光学系２０６と、操作部２０７とを有している。
【００２１】
制御部２０１は、通信部２０２の動作制御、記録部２０３に記録された画像の伸張処理、表示駆動部２０４及びシャッタ駆動部２０５の動作制御等の、ＦＭＤ２００の各ブロックの制御を行う。
【００２２】
通信部２０２は、カメラ１００との通信を行うための通信回路であり、制御部１０１の制御に従ってカメラ１００から画像を受信する。記録部２０３は、通信部２０２で受信された画像が記録される。
【００２３】
表示駆動部２０４は、制御部２０１の制御に従って、光学系２０６に含まれる表示部を駆動させる。シャッタ駆動部２０５は、制御部２０１の制御に従って、光学系２０６に含まれるシャッタを駆動させる。光学系２０６は、通信部２０２で受信された画像又は記録部２０３に記録された画像を表示するための表示部を含む光学系である。この光学系２０６については後述する。
【００２４】
操作部２０７は、ＦＭＤ２００の電源のオン/オフの切り替えや、ＦＭＤ２００の動作モードの切り替えを行うための各種の操作部である。
【００２５】
図２は、光学系２０６の構成の一例を示す図である。図２に示すように、光学系２０６は、表示部３０１と、光学部３０２と、シャッタ３０３とを有している。
【００２６】
表示部３０１は、通信部２０２で受信された画像又は記録部２０３に記録された画像を表示するための表示部である。図２は、表示部３０１が液晶表示装置（ＬＣＤ）である場合の例を示している。この場合の表示部３０１は、ＬＣＤパネル３０１ａとバックライト３０１ｂとを有している。ＬＣＤパネル３０１ａは、液晶を含む画素が２次元に配列されて構成され、表示駆動部２０４の制御に従って各画素の光の透過率を変化させるようになされている。バックライト３０１ｂは、例えば白色発光ダイオード（ＬＥＤ）を光源とし、表示駆動部２０４の制御に従ってＬＣＤパネル３０１ａの背面から光照射を行う。なお、図２の例では表示部３０１にＬＣＤを用いているが、表示部３０１はＬＣＤに限定されるものではない。例えば、表示部３０１に有機ＥＬ表示装置（ＯＥＬＤ）を用いるようにしても良い。
【００２７】
光学部３０２は、ＦＭＤ２００の外部からの光の入射方向（図示矢印方向）に対して４５度の角度をなす曲面を含む自由曲面プリズム３０２ａを有している。この自由曲面プリズム３０２ａに形成されている自由曲面部分にはハーフミラー３０２ｂがコーティングされ、さらにハーフミラー３０２ｂには自由曲面プリズム３０２ａのパワーを補正するための補正プリズム３０２ｃが接合されている。
【００２８】
シャッタ３０３は、ＦＭＤ２００の外部からの光の入射光路上に配置されている。シャッタ３０３は、表示部３０１に画像が表示されていない場合（バックライト３０１ｂが非点灯状態の場合）に、図２（ａ）に示すように開放状態となる。この場合、ＦＭＤ２００の外部からの光が光学部３０２を介してユーザの目４００に入射する。したがって、ユーザはＦＭＤ２００の装着によって視野が遮られることなく、自然な視界を得ることができる。
【００２９】
一方、シャッタ３０３は、表示部３０１に画像が表示されている場合（バックライト３０１ｂが点灯状態の場合）に、図２（ｂ）に示すように遮光状態となる。この場合は、ＦＭＤ２００の外部からの光はシャッタ３０３によって遮光されるとともに、表示部３０１に表示されている画像に基づく光は、図２（ｂ）の矢印で示したような光路でユーザの目４００に入射する。これにより、ユーザは表示部３０１に表示された画像を見ることができる。
【００３０】
図３は、ＦＭＤ２００の外観図である。本実施形態におけるＦＭＤ２００の外観は、図３（ａ）に示すような、片目のみの略眼鏡状をしており、ユーザは、眼鏡と同様にＦＭＤ２００に形成された弦部２００ａを耳にかけ、鼻当て部２００ｂを鼻に当て付けることでＦＭＤ２００を装着する。上述したように、カメラ１００から送信された画像がＦＭＤ２００に表示される際には、図３（ｂ）に示すようにしてシャッタ３０３が閉じるようになっている。なお、図３（ａ）では、片目のみ装着可能なＦＭＤ２００を示しているが、両目に装着可能に構成しても良い。この場合には、図２で示した光学系２０６は、一対設ける必要がある。
【００３１】
また、図３（ａ）及び図３（ｂ）は、ＦＭＤ２００の通信形態が無線通信の場合を示している。この場合、ＦＭＤ２００には、通信部２０２のアンテナ２０２ａが設けられている。一方、ＦＭＤ２００の通信形態が有線通信の場合には、図３（ｃ）に示すように、ＦＭＤ２００にケーブル２０２ｂが接続される。
【００３２】
図４は、本実施形態におけるカメラシステムを使用する際の様子を示す図である。本実施形態におけるカメラシステムにおいてＦＭＤ２００をファインダとして利用する場合、図４（ａ）や図４（ｂ）に示すように、ユーザは目部にＦＭＤ２００を装着する。この状態で、図４（ａ）のように、ユーザがカメラ１００を構えていない場合には、カメラ１００からの画像の送信が禁止される。さらに、この場合には、ＦＭＤ２００のシャッタ３０３が開放状態となって、ユーザは素通しで外界を見ることができる。一方、図４（ｂ）のように、ユーザがカメラ１００を構えた場合にはカメラ１００からの画像の送信が許可される。さらに、シャッタ３０３が遮光状態となって、ユーザは、カメラ１００から送信された画像を大画面のような間隔で確認することができる。ＦＭＤ２００の表示部３０１の表示画面は小さくともユーザの目の近くで表示がなされるので、ユーザは、２ｍ先に数十インチの画像が見えるような体感を得ることができる。
【００３３】
一般に、図５（ａ）のように、カメラ１００を構えた状態では、ユーザの見ようとしている方向と撮影範囲とが一致しており、ユーザは写真を撮ろうという意図や意識がある。したがって、この場合には、図５（ｂ）のように、ＦＭＤ２００の表示部３０１には、カメラ１００の撮影結果に合わせた表示がなされるようにすることが望ましい。一方、図６（ａ）のように、カメラ１００を構えていない状態で、ユーザの見ようとしている方向と撮影範囲とが一致していない。このような場合に、カメラ１００の視野（破線部）が表示されてしまうとユーザを混乱させるだけである。この場合には、シャッタ３０３を開放状態として、図６（ｂ）のように、素通しで外界を見られるようにすることが望ましい。
【００３４】
図７は、ユーザがカメラ１００を構えているか否かを検出するための状態検出部１０９の構成の一例を示す図である。図７に示す例において、状態検出部１０９は、背面レンズ１０９ａと、背面撮像部１０９ｂとを有している。
【００３５】
背面レンズ１０９ａは、カメラ１００の背面に設けられており、ユーザがカメラ１００を構えたとき、即ちＦＭＤ２００と背面レンズ１０９ａとが対向状態となったときに、背面レンズ１０９ａを介してＦＭＤ２００（を含むユーザ）からの光束を背面撮像部１０９ｂに入射させるようになされている。背面撮像部１０９ｂは、背面レンズ１０９ａからの光束に基づくＦＭＤ２００の像を電気信号に変換することで画像を取得し、さらにこの画像をデジタルデータとして制御部１０１に出力する。制御部１０１は、背面撮像部１０９ｂから得られた画像を、予め登録してあるＦＭＤ２００の形状パターンと比較し、画像中にＦＭＤ２００の外観形状を検出した場合に、ＦＭＤ２００を装着しているユーザが、カメラ１００を構えていると判定し、カメラ１００からＦＭＤ２００への通信を許可する。
【００３６】
ここで、本実施形態では、カメラ１００に状態検出部１０９を設け、ユーザがカメラ１００を構えているか否かをカメラ１００において判定できるようにした例を示したが、ＦＭＤ２００側でこの判定を行うようにしても良い。
【００３７】
また、直接的にカメラ１００を構えているか否かを検出しなくとも良く、例えば、カメラ１００とＦＭＤ２００との近距離通信を行うことによって、ユーザがカメラ１００を構えているか否かを判定できるようにしても良い。図８は、このような変形例を示す図である。例えば、カメラ１００とＦＭＤ２００との通信形態が非接触無線通信の場合には、図８（ａ）のように、カメラ１００にＦＭＤ２００を近づけたときのみ通信が確立するようにすれば良い。また、無線ＬＡＮのような、近距離でなくとも通信が確立するような場合には、例えば、ユーザの指がレリーズボタン１０２ａに触れたときに、写真を撮ろうとする意図がユーザにあるとして、カメラ１００からＦＭＤ２００に対して通信要求を行うようにしても良い。この場合には、必ずしもユーザがカメラ１００をＦＭＤ２００に近づけていなくとも良い。
【００３８】
さらには、カメラ１００とＦＭＤ２００とで信号の授受が可能であるか否かによって判定を行うようにしても良い。この場合には、例えば図８（ｂ）のように、カメラ１００に発光ダイオード１１０とフォトダイオード１１１を設けるとともに、ＦＭＤ２００に発光ダイオード２０８とフォトダイオード２０９を設けるようにする。この図８（ｂ）の構成では、発光ダイオードとフォトダイオードとが向かい合う状態となったときのみ、各発光ダイオードからの光が対応するフォトダイオードで受光される。したがって、フォトダイオードの出力信号を制御部１０１及び制御部２０１においてそれぞれ監視することで、ユーザがカメラ１００を構えたか否かを判定することができる。
【００３９】
次に、本実施形態のカメラシステムの詳細な動作について説明する。  
まず、カメラ１００の動作について説明する。図９は、カメラ１００のメインの動作を示すフローチャートである。ここで、本実施形態におけるカメラ１００は動作モードとして撮影モードと再生モードとを有している。撮影モードは、ユーザが記録用の画像を撮影するための動作モードであり、再生モードは記録された画像を再生するためのモードである。これらの動作モードの切り替えは、例えば操作部１０２の選択ボタンの操作によって行うことができる。
【００４０】
図９において、カメラ１００の制御部１０１は、まず、カメラ１００の電源がオンされたか否かを判定する（ステップＳ１０１）。ステップＳ１０１の判定において、電源がオフされている場合に、制御部１０１は図９の処理を終了させる。なお、電源オフ時においても通信部１０８は動作しており、通信部１０８を介してＦＭＤ２００からの電源オン指示がなされた場合に制御部１０１はカメラ１００の電源をオンさせる。
【００４１】
一方、ステップＳ１０１の判定において、電源がオンされた場合に、制御部１０１はカメラ１００の動作モードが撮影モードであるか否かを判定する（ステップＳ１０２）。ステップＳ１０２の判定において、カメラ１００の動作モードが撮影モードである場合に、制御部１０１は露出補正を行う（ステップＳ１０３）。この露出補正において、制御部１０１は、撮像部１０４を介して得られる画像や専用の測光センサの出力に基づいて、被写体の明るさを測定する。そして、測定した被写体の明るさに基づき、制御部１０１は、撮像部１０４を介して得られる画像の明るさを適正な明るさとするように画像の明るさを補正する。
【００４２】
次に、制御部１０１は、状態検出部１０９の出力に基づき、ＦＭＤ２００を装着したユーザがカメラ１００を構えているか否かを判定する。そして、この判定結果に基づき、ＦＭＤ２００との通信を許可できるか否かを判定する（ステップＳ１０４）。ステップＳ１０４の判定において、通信を許可できない、即ちユーザがＦＭＤ２００を装着していないか、或いはカメラ１００を構えていない場合に、制御部１０１は表示部１０５にスルー画表示を行う（ステップＳ１０５）。このカメラ１００側のスルー画表示において、制御部１０１は、撮像部１０４を連続動作させ、この連続動作によって撮像部１０４を介して逐次得られる画像をリアルタイムに表示部１０５に表示させる。一方、ステップＳ１０４の判定において、通信を許可できる、即ちＦＭＤ２００を装着したユーザがカメラ１００を構えている場合に、制御部１０１はＦＭＤ２００の表示部３０１にスルー画表示を行わせるべく、撮像部１０４で取得された画像を、通信部１０８を介してＦＭＤ２００に送信する（ステップＳ１０６）。さらに、制御部１０１は、表示部１０５にスルー画表示を行っている場合には表示部１０５のスルー画表示をオフさせる（ステップＳ１０７）。このようなカメラ１００の表示部１０５又はＦＭＤ２００の表示部３０１になされるスルー画表示により、ユーザは構図やシャッターチャンスを決定することが可能である。なお、ＦＭＤ２００におけるスルー画表示の際にカメラ１００の表示をオフするのは、ユーザがＦＭＤ２００を装着してカメラ１００を構えており、カメラ１００の表示部１０５には注視しないと考えられるためである。これによって、カメラ１００の消費電力の低減を図ることが可能である。
【００４３】
スルー画表示の後、制御部１０１は、撮影者によって操作部１０２のレリーズボタンが押されたか否かを判定する（ステップＳ１０８）。ステップＳ１０８の判定において、レリーズボタンが押されていない場合には、処理がステップＳ１０１に戻る。この場合に、制御部１０１は、カメラ１００の電源がオンであるか否かを再び判定する。一方、ステップＳ１０８の判定において、レリーズボタンが押された場合に、制御部１０１は、露出制御（記録用画像の取込み）を行う（ステップＳ１０９）。画像の取り込み後、制御部１０１は取り込んだ画像に対して圧縮処理等の画像処理を施した後、処理後の画像に時計部１０６で計時される撮影日時等の撮影条件を付加して画像ファイルを生成する。そして、制御部１０１は、生成した画像ファイルを記録部１０７に記録させる（ステップＳ１１０）。その後、処理がステップＳ１０１に戻る。
【００４４】
また、ステップＳ１０２の判定において、カメラ１００の動作モードが撮影モードでない場合に、制御部１０１は、カメラ１００の動作モードが再生モードであるか否かを判定する（ステップＳ１１１）。ステップＳ１１１の判定において、カメラ１００の動作モードが再生モードでない場合には、処理がステップＳ１０１に戻る。一方、ステップＳ１１１の判定において、カメラ１００の動作モードが再生モードである場合に、制御部１０１は再生モードの処理を行う（ステップＳ１１２）。再生モードの処理後、処理がステップＳ１０１に戻る。
【００４５】
図１０は、再生モードの処理を示すフローチャートである。図１０において、制御部１０１は、記録部１０７に記録された画像ファイルの中で最後に記録された画像ファイルを再生の候補画像に設定する（ステップＳ２０１）。次に、制御部１０１は、再生モードの処理を終了するか、即ちユーザにより再生モードの終了操作がなされたか否かを判定する（ステップＳ２０２）。再生モードの終了操作とは、例えばカメラ１００の動作モードの切り替え操作等である。ステップＳ２０２の判定において、再生モードの終了操作がなされた場合に、制御部１０１は図１０の処理を終了させる。
【００４６】
一方、ステップＳ２０２の判定において、再生モードの終了操作がなされていない場合に、制御部１０１は、状態検出部１０９の出力に基づき、ＦＭＤ２００を装着したユーザがカメラ１００を構えているか否かを判定する。そして、この判定結果に基づき、ＦＭＤ２００との通信を許可できるか否かを判定する（ステップＳ２０３）。
【００４７】
ステップＳ２０３の判定において、ＦＭＤ２００との通信を許可できない場合に、制御部１０１は、候補画像に対応した画像ファイルを記録部１０７から読み出し、画像ファイル内の画像に伸張処理を施した上で表示部１０５に表示させる（ステップＳ２０４）。一方、ステップＳ２０４の判定において、ＦＭＤ２００との通信を許可できる場合には、ＦＭＤ２００における画像の再生を行うべく、制御部１０１は、候補画像に対応した画像ファイルを記録部１０７から読み出す。そして、制御部１０１は、読み出した画像ファイルを、通信部１０８を介してＦＭＤ２００に送信する（ステップＳ２０５）。この際、表示部１０５は非表示として良い。これは、ユーザがＦＭＤ２００を装着してカメラ１００を構えており、カメラ１００の表示部１０５には注視しないと考えられるためである。
【００４８】
画像の再生の後、制御部１０１は、再生画像の切り替えを行うか、即ちユーザの操作部１０２の操作によって、再生画像の切り替え操作がなされたか否かを判定する（ステップＳ２０６）。ステップＳ２０６の判定において、再生画像の切り替えを行わない場合には処理がステップＳ２０１に戻る。この場合に、制御部１０１は、再生モードの処理を終了するか否かを再び判定する。一方、ステップＳ２０６の判定において、再生画像の切り替えを行う場合に、制御部１０１は、記録部１０７に記録された画像ファイルの中で次に撮影日時の新しい画像ファイルを次の候補画像に設定する（ステップＳ２０７）。その後、処理がステップＳ２０１に戻る。
【００４９】
図１１は、ＦＭＤ２００のメインの動作を示すフローチャートである。ここで、本実施形態におけるＦＭＤ２００は動作モードとして、ファインダモードと、再生モードと、素通しモードとを有している。ファインダモードは、ＦＭＤ２００をカメラ１００のファインダに利用するための動作モードである。また、再生モードは、ＦＭＤ２００の記録部２０３に記録されている画像を再生するための動作モードである。さらに、素通しモードは、表示部３０１に画像を表示しない場合の、シャッタ３０３が開放状態となっている動作モードである。ファインダモードと再生モードとの間の切り替えは、ＦＭＤ２００の操作部２０７によって行うことができる。
【００５０】
図１１において、制御部２０１は、まず、ＦＭＤ２００の電源がオンであるか否かを判定する（ステップＳ３０１）。ステップＳ３０１の判定において、電源がオフされている場合に、制御部２０１は図１１の処理を終了させる。この場合には、ＦＭＤ２００による画像の表示は行われない。一方、ステップＳ３０１の判定において、電源がオンされた場合に、制御部２０１は、シャッタ駆動部２０５を制御して、シャッタ３０３を開放状態とする（ステップＳ３０２）。このような素通しモードにおいては、ユーザは素通しの視界を得ることができる。
【００５１】
次に、制御部２０１は、通信部２０２を介してカメラ１００から画像が受信されたか否かを判定する（ステップＳ３０３）。ステップＳ３０３の判定において、カメラ１００から画像が受信された場合に、制御部２０１は、シャッタ駆動部２０５を制御して、シャッタ３０３を遮光状態とする（ステップＳ３０４）。その後、制御部２０１は、表示駆動部２０４を制御して、通信部２０２を介して受信された画像を表示部３０１に表示させる（ステップＳ３０５）。
【００５２】
次に、制御部２０１は、ＦＭＤ２００の動作モードがファインダモードであるか否かを判定する（ステップＳ３０６）。ステップＳ３０６の判定において、ＦＭＤ２００の動作モードがファインダモードである場合には、処理がステップＳ３０３に戻る。そして、制御部２０１は、カメラ１００からの次の画像の受信を待つ。ファインダモードではカメラ１００から逐次画像が送信されるので、この画像を表示部３０１に表示させていくことにより、ＦＭＤ２００においてもカメラ１００と同様のスルー画表示を行うことが可能である。
【００５３】
また、ステップＳ３０６の判定において、ＦＭＤ２００の動作モードがファインダモードでない、即ち再生モードである場合に、制御部２０１は通信部２０２を介して受信された画像ファイルを記録部２０３に記録させる（ステップ３０７）。その後、処理がステップＳ３０１に戻る。
【００５４】
また、ステップＳ３０３の判定において、カメラ１００から画像が受信されていない場合に、制御部２０１は、通信部２０２を介してカメラ１００に対して電源オンの指示を送る（ステップＳ３０８）。この指示を受けた場合にも、カメラ１００は電源がオンされる。次に、制御部２０１は、ＦＭＤ２００の動作モードが再生モードであるか否かを判定する（ステップＳ３０９）。ステップＳ３０９の判定において、ＦＭＤ２００の動作モードが再生モードでない場合には、処理がステップＳ３０１に戻る。一方、ステップＳ３０９の判定において、ＦＭＤ２００の動作モードが再生モードである場合に、制御部２０１は、シャッタ駆動部２０５を制御して、シャッタ３０３を遮光状態とする（ステップＳ３１０）。その後、制御部２０１は、記録部２０３に記録された画像ファイルの中で最後に記録された画像ファイル内の画像を伸張した上で、表示部３０１に表示させる（ステップＳ３１１）。画像の再生の後、制御部２０１は、再生画像の切り替えを行うか、即ちユーザの操作部２０７の操作によって、再生画像の切り替え操作がなされたか否かを判定する（ステップＳ３１２）。ステップＳ３１２の判定において、再生画像の切り替えを行わない場合には処理がステップＳ３１４に移行する。一方、ステップＳ３１２の判定において、再生画像の切り替えを行う場合に、制御部２０１は、記録部２０３に記録された画像ファイルの中で次に記録日時の新しい画像ファイルを次の候補画像に設定して表示部３０１に表示させる（ステップＳ３１３）。
【００５５】
ステップＳ３１２又はステップＳ３１３の後、制御部２０１は、再生モードの処理を終了するか、即ちユーザにより再生モードの終了操作がなされたか否かを判定する（ステップＳ３１４）。ステップＳ３１４の判定において、再生モードの終了操作がなされた場合には、処理がステップＳ３０１に戻る。一方、ステップＳ３１４の判定において、再生モードの終了操作がなされていない場合には、処理がステップＳ３１２に戻る。この場合、制御部２０１は、候補画像の再生を継続する。
【００５６】
以上説明したように、本実施形態によれば、ＦＭＤ２００を装着したユーザがカメラ１００を構えた場合には、カメラ１００の表示部１０５に表示されていたのと同様の画像がＦＭＤ２００の表示部３０１上に再現される。これにより、ユーザは、撮影前後の画像をＦＭＤ２００による大画面の感覚で確認できる。また、カメラ１００を構えていない場合には、ユーザは自然な視野を得ることができる。
【００５７】
ここで、画像の再生時には図１２に示すような処理にて、候補画像をＦＭＤ２００に表示しても良い。つまり、撮影時にはリアルタイムの画像表示が要求されるが、再生時にはリアルタイム性は要求されないので、再生中の候補画像そのものではなく、記録部１０７に記録された圧縮済みの画像を送信するようにする。これによって、画像の送信時間を短くして省エネルギー化を図ることができる。
【００５８】
なお、図１２のフローチャートと図１０のフローチャートの置き換えとなるものである。図１２において、制御部１０１は、記録部１０７に記録された画像の中で最後に記録された画像ファイルを再生の候補画像に設定する（ステップＳ４０１）。次に、制御部１０１は、候補画像に設定した画像ファイル内の画像を伸張した上で、表示部１０５に表示させる（ステップＳ４０２）。その後、制御部１０１は、ＦＭＤ２００との通信を許可できるか否かを判定する（ステップＳ４０３）。
【００５９】
ステップＳ４０３の判定において、ＦＭＤ２００との通信を許可できる場合に、制御部１０１は、ＦＭＤ２００における画像の再生を行うべく、候補画像に設定されている画像に対応する画像ファイルを、通信部１０８を介してＦＭＤ２００に送信する（ステップＳ４０４）。即ち、候補画像を決定して表示部１０５に画像が表示された後、例えば、ＦＭＤ２００を装着したユーザが、この画像をよく見ようと目（ＦＭＤ２００）に近づけると、表示部１０５に表示中の画像に対応した画像ファイルが送信される。
【００６０】
また、ステップＳ４０３の判定において、ＦＭＤ２００との通信を許可できない場合に、制御部１０１は、再生モードの処理を終了するか、即ちユーザにより再生モードの終了操作がなされたか否かを判定する（ステップＳ４０５）。ステップＳ４０５の判定において、再生モードの終了操作がなされた場合に、制御部１０１は図１２の処理を終了させる。一方、ステップＳ４０５の判定において、再生モードの終了操作がなされていない場合に、制御部１０１は、再生画像の切り替えを行うか、即ちユーザの操作部１０２の操作によって、再生画像の切り替え操作がなされたか否かを判定する（ステップＳ４０６）。ステップＳ４０６の判定において、再生画像の切り替えを行わない場合には処理がステップＳ４０５に戻る。この場合に、制御部１０１は、再生モードの処理を終了するか否かを再び判定する。一方、ステップＳ４０６の判定において、再生画像の切り替えを行う場合に、制御部１０１は、記録部１０７に記録された画像ファイルの中で次に撮影日時の新しい画像ファイルを次の候補画像に設定する（ステップＳ４０７）。その後、処理がステップＳ４０１に戻り、制御部１０１は新たに候補画像に設定した画像ファイルを再生する。
【００６１】
図１２のような変形例では、カメラ１００の表示部１０５に画像が表示されている際であっても、ＦＭＤ２００に画像ファイルを送信することが可能である。
【００６２】
また、図２に示した光学系２０６は、ユーザがカメラ１００を構えていない状態ではシャッタ３０３が開放状態となって素通しの視界が得られる光学系を例としている。しかしながら、光学系２０６の構成は図２に示したものに限られるものではない。例えば、図１３に示すような補助カメラ２１０をＦＭＤ２００に設けるようにしても良い。この補助カメラ２１０は、撮影レンズ２１０ａと、撮像部２１０ｂと、撮像処理部２１０ｃとを有している。撮影レンズ２１０ａは、撮影レンズ１０３と同様の機能を有し、ＦＭＤ２００の外部の被写体からの光束を撮像部２１０ｂに入射させるためのレンズである。補助撮像部としての機能を有する撮像部２１０ｂは、撮像部１０４と同様の機能を有し、撮影レンズ２１０ａからの光束に基づく被写体の像を電気信号に変換することで画像を取得し、さらにこの画像をデジタルデータとして撮像処理部２１０ｃに出力する。撮像処理部２１０ｃは、撮像部２１０ｂを介して得られた画像に対する画像処理を施して表示駆動部２０４に出力する。
【００６３】
図１３のような構成では、表示部３０１に表示させる画像を適宜切り替えるだけで、図２で示した光学系と同様の機能が実現される。即ち、カメラ１００から画像が受信されるか、或いは記録部２０３に記録された画像を再生するとき以外は補助カメラ２１０を介して得られた画像を表示部３０１に表示させるように制御すれば良い。
【００６４】
ここで、図１３の構成では、自由曲面プリズム３０２ａにハーフミラー３０２ｂをコーティングする必要はなく、単に反射ミラー３０２ｄをコーティングするだけで良い。また、補正プリズム３０２ｃも不要である。さらには、シャッタ３０３も不要でシャッタ３０３の代わりにマスク３０４で遮光すれば良い。即ち、図１３の構成を用いることにより図２の構成に比べて光学系２０６の構成を簡素化することが可能である。
【００６５】
以上実施形態に基づいて本発明を説明したが、本発明は上述した実施形態に限定されるものではなく、本発明の要旨の範囲内で種々の変形や応用が可能なことは勿論である。
【００６６】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【符号の説明】
【００６７】
１００…カメラ、１０１…制御部、１０２…操作部、１０３…撮影レンズ、１０４…撮像部、１０５…表示部、１０６…時計部、１０７…記録部、１０８…通信部、１０９…状態検出部、２００…フェイスマウントディスプレイ（ＦＭＤ）、２０１…制御部、２０２…通信部、２０３…記録部、２０４…表示駆動部、２０５…シャッタ駆動部、２０６…光学系、２０７…操作部、３０１…表示部、３０１ａ…ＬＣＤパネル、３０１ｂ…バックライト、３０２…光学部、３０２ａ…自由曲面プリズム、３０２ｂ…ハーフミラー、３０２ｃ…補正プリズム、３０３…シャッタ
【図１】
2010183274.tif 000003
【図２】
2010183274.tif 000004
【図３】
2010183274.tif 000005
【図４】
2010183274.tif 000006
【図５】
2010183274.tif 000007
【図６】
2010183274.tif 000008
【図７】
2010183274.tif 000009
【図８】
2010183274.tif 000010
【図９】
2010183274.tif 000011
【図１０】
2010183274.tif 000012
【図１１】
2010183274.tif 000013
【図１２】
2010183274.tif 000014
【図１３】
2010183274.tif 000015